【手続補正書】
【提出日】平成25年9月10日(2013.9.10)
【手続補正１】
【補正対象書類名】明細書
【補正対象項目名】０００８
【補正方法】変更
【補正の内容】
【０００８】
前記課題を解決するため、本発明の回転表示装置の一態様は、基台と、前記基台に回転自在に設けられた透明性を有する中空のボール体と、前記ボール体よりも小径の中空球体の一部に開口部が設けられた形状を有し、内部から外部へ向かって光を拡散する光拡散性が確保されるとともに、前記ボール体の内部において、前記開口部の向きが固定された状態での前記ボール体に対する相対的な転動を許容された球状スクリーンと、前記ボール体の外部から前記開口部を介して前記球状スクリーンの内周面に画像を投影する投影手段と、前記ボール体の回転動作を、前記投影手段が前記球状スクリーンの内周面に投影する前記画像の制御に使用する入力情報として検出する第１の検出手段と、を備えた、ことを特徴とする。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１５
【補正方法】変更
【補正の内容】
【００１５】
以下、本発明の実施形態について説明する。図１は、本発明に係る回転表示装置１を示す断面図である。図１に示したように回転表示装置１は、基台２と、基台２の上部に設けられた回転操作が可能なボール体３と、を備えている。
【手続補正７】
【補正対象書類名】明細書
【補正対象項目名】００１６
【補正方法】変更
【補正の内容】
【００１６】
ボール体３は、ガラスや、合成樹脂等の透明な材料で形成された中空体であり、より具体的には、半球状の部材を透明な接着材等を用いて繋ぎ目が極力見えないように接合することにより形成されている。なお、ボール体３の透明度は任意であり、少なくとも内部が透視可能な程度の透明性が確保させていればよい。
【手続補正８】
【補正対象書類名】明細書
【補正対象項目名】００１９
【補正方法】変更
【補正の内容】
【００１９】
また、球状スクリーン４は、透光性を有する部材によって形成され、かつ内部から外部へ向かって光を拡散する光拡散性を確保されている。例えば球状スクリーン４には、透光性を有する部材の内側と外側との一方または双方の表面に、光を拡散させるための材料が塗布されたり、光を拡散させるための処理が施されたりすることによって光拡散性が確保されている。なお、球状スクリーン４は、光を拡散させる任意の材料を用いて形成されたものであっても構わない。
【手続補正９】
【補正対象書類名】明細書
【補正対象項目名】００２６
【補正方法】変更
【補正の内容】
【００２６】
これにより、ボール体３は、凹部２ａの内周面から僅かに離間した状態を維持されるとともに、任意の方向への回転（図２参照）と、凹部２ａの内周面に接する方向への移動（図３参照）と、を許容されている。
【手続補正１０】
【補正対象書類名】明細書
【補正対象項目名】００３０
【補正方法】変更
【補正の内容】
【００３０】
回転動作検出機構１１は、ボール体３の回転動作を入力情報として検出する第１の検出手段として機能するものであり、以下のように構成されている。すなわち回転動作検出機構１１は、ｙ軸方向に延在しボール体３に当接するｙ軸側ロール１２、及びｙ軸側ロール１２に軸１３を介して連結された図示しない回転子を含むｙ軸側ロータリエンコーダ１４と、ｘ軸方向に延在しボール体３に当接するｘ軸側ロール１５、及びｘ軸側ロール１５に軸１６を介して連結された図示しない回転子を含むｘ軸側ロータリエンコーダ１７と、から構成されている。
【手続補正１１】
【補正対象書類名】明細書
【補正対象項目名】００３３
【補正方法】変更
【補正の内容】
【００３３】
図５は、回転表示装置１の電気的構成の概略を示すブロック図である。図５に示したように、前述したプロジェクター６と、複数の押圧スイッチ９と、ｙ軸側ロータリエンコーダ１４及びｘ軸側ロータリエンコーダ１７と、は表示制御部２１に接続されている。また、表示制御部２１には、種々の画像を表す画像データや、その他のデータが記憶された画像メモリ２２が接続されている。
【手続補正１２】
【補正対象書類名】特許請求の範囲
【補正対象項目名】全文
【補正方法】変更
【補正の内容】
【特許請求の範囲】
【請求項１】
基台と、
前記基台に回転自在に設けられた透明性を有する中空のボール体と、
前記ボール体よりも小径の中空球体の一部に開口部が設けられた形状を有し、内部から外部へ向かって光を拡散する光拡散性が確保されるとともに、前記ボール体の内部において、前記開口部の向きが固定された状態での前記ボール体に対する相対的な転動を許容された球状スクリーンと、
前記ボール体の外部から前記開口部を介して前記球状スクリーンの内周面に画像を投影する投影手段と、
前記ボール体の回転動作を、前記投影手段が前記球状スクリーンの内周面に投影する前記画像の制御に使用する入力情報として検出する第１の検出手段と、
を備えた、
ことを特徴とする回転表示装置。
【請求項２】
前記投影手段は、前記球状スクリーンの内周面において前記ボール体を介して外部から視認可能な前記球状スクリーンの内周面全域に相当する領域に前記画像を投影することを特徴とする請求項１に記載の回転表示装置。
【請求項３】
前記ボール体に対する前記基台へ向けての押圧操作を、前記投影手段が前記球状スクリーンの内周面に投影する前記画像の制御に使用する入力情報として検出する第２の検出手段をさらに備えたことを特徴とする請求項１又は２に記載の回転表示装置。
【請求項４】
前記第１の検出手段により検出されたボール体の回転動作に基づいて、前記投影手段が前記球状スクリーンの内周面に投影する前記画像を制御する制御手段を備えたことを特徴とする請求項１乃至３のいずれかに記載の回転表示装置。
【請求項５】
前記第２の検出手段により検出された前記ボール体に対する前記基台へ向けての押圧操作に基づいて、前記投影手段が前記球状スクリーンの内周面に投影する前記画像を制御する制御手段を備えたことを特徴とする請求項３に記載の回転表示装置。
【請求項６】
前記ボール体は、ガラス又は合成樹脂で形成された中空体であることを特徴とする請求項１乃至５のいずれかに記載の回転表示装置。
【請求項７】
前記ボール体は、前記中空体を構成する一組の半球状の部材を有し、当該一組の半球状の部材の一方と他方とは、透明な接着剤を用いて接合されていることを特徴とする請求項６に記載の回転表示装置。
【請求項８】
前記球状スクリーンの下端部には、円形の前記開口部が設けられていることを特徴とする請求項１乃至７のいずれかに記載の回転表示装置。
【請求項９】
前記開口部の周縁には、回転自在なボールが周方向に等間隔で複数設けられたベアリングが前記球状スクリーンと一体的に設けられており、
前記球状スクリーンは、前記複数のベアリングを介して前記ボール体に支持されていることを特徴とする請求項１乃至８のいずれかに記載の回転表示装置。
【請求項１０】
前記球状スクリーンは、前記複数のベアリングの重みによって前記開口部が真下を向いた同一姿勢を確保していることを特徴とする請求項９に記載の回転表示装置。
【請求項１１】
前記球状スクリーンの内周面及び外周面の少なくとも一方の表面には、光を拡散させるための光拡散材料が塗布されている、又は、光を拡散させるための処理が施されていることを特徴とする請求項１乃至１０のいずれかに記載の回転表示装置。
【請求項１２】
前記基台の上部には、前記ボール体の下側の半分を収容する凹部が形成されており、当該凹部の内周面は球面であり、当該凹部の内周面に突出して前記ボール体を回転自在に支持するボールローラが、当該凹部の周方向に複数設けられていることを特徴とする請求項１乃至１１のいずれかに記載の回転表示装置。
【請求項１３】
前記投影手段は、外部から供給される前記画像を光変調素子によって投影光に変換するデータプロジェクターであることを特徴とする請求項１乃至１２のいずれかに記載の回転表示装置。
【請求項１４】
前記第１の検出手段は、前記ボール体に前記凹部の内周面で当接するロールと、当該ロールに軸を介して連結された回転子を含むロータリエンコーダを有する回転動作検出機構であることを特徴とする請求項１２に記載の回転表示装置。
【請求項１５】
前記第２の検出手段は、前記ボール体が前記凹部の内周面に接する方向へ一定量を超えて移動したとき、前記ボールローラによって押圧されることによりオン状態となる押圧スイッチであることを特徴とする請求項１２に記載の回転表示装置。
【手続補正１３】
【補正対象書類名】図面
【補正対象項目名】図５
【補正方法】変更
【補正の内容】
【図５】
2012079243.tif 000001